(57)【特許請求の範囲】
【請求項１】
空気調和用の気体が供給され、当該気体を空気調和の対象となる空間へ吹出す略筒状の開口枠体と、当該開口枠体の開口領域内に傾動自在に一又は複数配設される略筒状の中筒部と、当該中筒部を前記開口枠体に軸支する支持軸部とを備える吹出口装置において、
前記支持軸部が、一端部を略円錐状に拡開させた略円筒体で形成されて前記中筒部と開口枠体との間に前記一端部を中筒部側に向けて配設されるフレアカラーと、当該フレアカラー内に少なくとも一部を挿入されてフレアカラーと中筒部及び開口枠体とを連結する連結部材とを備え、
前記中筒部が、外周面の対向する所定の二箇所に外方へ略円錐状に突出する凸状部を成形され、当該凸状部を前記フレアカラーの一端拡開部分に係合させてなり、凸状部の略円錐面とフレアカラーの一端拡開部分内面とが面接触で当接しつつ互いに回動可能な状態とされることを特徴とする吹出口装置。
【請求項２】
前記請求項１に記載の吹出口装置において、
前記中筒部が、前記凸状部中心位置に貫通孔を穿設されてなり、
前記連結部材が、前記中筒部の貫通孔から前記フレアカラー内に通されて前記開口枠体側へ達する皿螺子とされ、当該皿螺子頭部を前記凸状部内面側の凹部に挿入されて中筒部の内周面より内方に突出せず、且つ凸状部の内面側となる凹部の内面と皿螺子頭部の円錐面とが面接触で当接しつつ互いに回動可能な状態とされることを特徴とする吹出口装置。
【請求項３】
前記請求項２に記載の吹出口装置において、
前記連結部材としての皿螺子が、前記フレアカラー内を通って前記開口枠体外側へ貫通し、開口枠体外側からナットを螺合されて前記中筒部と開口枠体を連結状態とすることを特徴とする吹出口装置。
【請求項４】
前記請求項２に記載の吹出口装置において、
前記連結部材としての皿螺子が、前記フレアカラー内を通って前記開口枠体に螺合し、開口枠体と一体に固定されることを特徴とする吹出口装置。
【請求項５】
空気調和用の気体が供給され、当該気体を空気調和の対象となる空間へ吹出す略筒状の開口枠体と、当該開口枠体の開口領域内に傾動自在に一又は複数配設される略筒状の中筒部と、当該中筒部を前記開口枠体に軸支する支持軸部とを備える吹出口装置において、
前記支持軸部が、一端部を略円錐状に拡開させた略円筒体で形成されて前記中筒部と開口枠体との間に前記一端部を中筒部側に向けて配設されるフレアカラーと、当該フレアカラー内に少なくとも一部を挿入されてフレアカラーと中筒部及び／又は開口枠体とを連結する連結部材とを有してなり、
少なくとも前記連結部材が貫通可能な略テーパ状の略筒状部分と当該略筒状部分の大径側端部周囲に配置される略鍔状部分とからなる突出ワッシャを備え、
前記中筒部が、外周面の対向する所定の二箇所に外方へ略円錐状に突出する凸状部を成形され、当該凸状部を前記フレアカラーの一端拡開部分に係合させてなり、
前記突出ワッシャが、前記フレアカラーと前記開口枠体との間に、略鍔状部分側を開口枠体寄りとし且つ略筒状部分に前記連結部材を貫通させる状態で配設されることを特徴とする吹出口装置。
【発明の詳細な説明】
【０００１】
【発明の属する技術分野】
本発明は、空気調和の対象となる空間における天井あるいは壁面に配置され、前記空間への空気調和用気体の吹出方向を変化させられる吹出口装置に関し、特に、方向調整部分が緩みにくく確実に調整できる吹出口装置に関する。
【０００２】
【従来の技術】
空気調和設備の一部として、ダクトを通じて供給される調和空気を室内空間に吹出す吹出口装置は、用途に応じて様々な形状のものが用いられる。このうち、調和空気の到達距離を重視する用途の場合、一般にノズル型の吹出口装置が使用される。この従来のノズル型の吹出口装置は一般に略筒状の開口枠体で形成され、ダクトから供給された調和空気をそのまま先端開口から直進状態で吹出すものであるが、近年、開口枠体の開口領域に傾動可能な中筒部を配設し、中筒部の傾度調整で空気の吹出方向を変化させられるものも使用されるようになっている。このような従来のノズル型吹出口装置の一例を図８に示す。この図８は従来の吹出口装置の概略構成断面図及び底面図である。
【０００３】
前記図８において従来の吹出口装置１００は、天井（又は壁）５０に配設され、ダクト５１と接続されて調和空気を供給される前記開口枠体としての略円筒状の外ノズル１０１と、この外ノズル１０１の開口領域内側に支持軸部１０３を介して傾動自在に配設される前記中筒部としての略円筒状の中ノズル１０２とを備える構成である。
【０００４】
前記中ノズル１０２と外ノズル１０１間の支持軸部１０３は、中ノズル１０２と外ノズル１０１との間に配置されて中ノズル１０２と外ノズル１０１の間隔を規定する略円筒状のカラー１０３ａと、このカラー１０３ａ内部を貫通して中ノズル１０２と外ノズル１０１とを締結する螺子１０３ｂと、中ノズル１０２内周側で前記螺子１０３ｂと螺合する袋ナット１０３ｃと、前記螺子１０３ｂの頭部と外ノズル１０１との間及び袋ナット１０３ｃと中ノズル１０２との間にそれぞれ配設されるワッシャ１０３ｄとを備える構成である。
【０００５】
上記した構成の従来の吹出口装置１００においては、調和空気の温度等の諸条件に応じて中ノズル１０２を外ノズル１０１に対し所定角度傾動させ、ダクト５１から室内空間側へ向う調和空気の吹出し方向を調節することができる。
中ノズル１０２の傾動の際には、螺子１０３ｂ及び袋ナット１０３ｃに対し外ノズル１０１及び／又は中ノズル１０２が相対的に回動する状態となって外ノズル１０１に対する中ノズル１０２の傾動を許容する。この時、カラー１０３ａも外ノズル１０１及び／又は中ノズル１０２に対し相対的に回動する状態となっている。
【０００６】
【発明が解決しようとする課題】
従来の吹出口装置は以上のように構成されていたことから、外ノズル１０１に対し中ノズル１０２を傾けて吹出し方向調整を行うが、この方向調整のために中ノズル１０２を多数回傾動させると、支持軸部１０３をなす螺子１０３ｂと袋ナット１０３ｃが中ノズル１０２の動きにつれてそれぞれ動くことで、これらの締付けトルクが次第に弱まり、中ノズル１０２を所定角度に保持する保持力が低下していくという課題を有していた。中ノズル１０２の保持力が低下すると、中ノズル１０２自体の重みや気流による圧力で、中ノズル１０２の外ノズル１０１に対する傾きが維持できなくなり、気流方向を的確に制御できなくなるという問題が生じる。
【０００７】
また、中ノズル１０２内方に支持軸部１０３の袋ナット１０３ｃが突出しており、美観が損われると共に、埃等の付着で汚損されやすく、且つ、気流速度が大である場合には風切り音が発生するという課題を有していた。
【０００８】
本発明は前記課題を解消するためになされたもので、中筒部の支持構造を変更し、中筒部保持力の低下を抑え、中筒部の傾き状態を確実に保持して吹出し方向制御状態を維持できると共に、部品の中筒部内への突出を抑えて外観も優れる吹出口装置を提供することを目的とする。
【０００９】
【課題を解決するための手段】
本発明に係る吹出口装置は、空気調和用の気体が供給され、当該気体を空気調和の対象となる空間へ吹出す略筒状の開口枠体と、当該開口枠体の開口領域内に傾動自在に一又は複数配設される略筒状の中筒部と、当該中筒部を前記開口枠体に軸支する支持軸部とを備える吹出口装置において、前記支持軸部が、一端部を略円錐状に拡開させた略円筒体で形成されて前記中筒部と開口枠体との間に前記一端部を中筒部側に向けて配設されるフレアカラーと、当該フレアカラー内に少なくとも一部を挿入されてフレアカラーと中筒部及び開口枠体とを連結する連結部材とを備え、前記中筒部が、外周面の対向する所定の二箇所に外方へ略円錐状に突出する凸状部を成形され、当該凸状部を前記フレアカラーの一端拡開部分に係合させてなり、凸状部の略円錐面とフレアカラーの一端拡開部分内面とが面接触で当接しつつ互いに回動可能な状態とされるものである。
【００１０】
このように本発明においては、中筒部と開口枠体間の間隔を規定するカラーとして一端部が略円錐状の拡開形状となったフレアカラーを用いると共に、中筒部のカラー連結部分を略円錐状に突出する凸状部として形成し、中筒部の略円錐状の凸状部をフレアカラー一端部の略円錐状拡開部分に係合させて、フレアカラーと中筒部との接触面積を大きくすることにより、中筒部とフレアカラーとの間に働く摩擦力が大となり、中筒部と支持軸部の締付けトルクを大きくすることができ、中筒部の保持強度を高められる上、吹出し方向調整のために多数回中筒部を傾動させても、中筒部の保持力が低下しにくく、中筒部の保持力を安定的に維持できる。また、フレアカラー一端部の拡開部分と中筒部の凸状部とが互いに当接する接触面をそれぞれ略円錐状とされてなり、中筒部及びフレアカラーの接触状態で各中心軸が一致することにより、中筒部とフレアカラーとの間にがたつきがなく、中筒部の傾動の中心軸が一定となることに加え、締付け力が常に中心に向くこととなり、中筒部を開口枠体の開口領域中央に位置させられる。
【００１１】
また、本発明に係る吹出口装置は必要に応じて、前記中筒部が、前記凸状部中心位置に貫通孔を穿設されてなり、前記連結部材が、前記中筒部の貫通孔から前記フレアカラー内に通されて前記開口枠体側へ達する皿螺子とされ、当該皿螺子頭部を前記凸状部内面側の凹部に挿入されて中筒部の内周面より内方に突出せず、且つ凸状部の内面側となる凹部の内面と皿螺子頭部の円錐面とが面接触で当接しつつ互いに回動可能な状態とされるものである。
【００１２】
このように本発明においては、中筒部の凸状部中心位置に貫通孔を穿設し、前記連結部材として皿螺子を用いて中筒部の貫通孔からフレアカラー内に通し、皿螺子頭部を中筒部の凸状部内面側となる凹部に挿入して、皿螺子頭部と中筒部との接触面積を十分確保することにより、中筒部と皿螺子との間にそれぞれ働く摩擦力が大となり、皿螺子による締付けトルクを大きくすることができ、中筒部の保持強度をさらに高められると共に、中筒部の保持力を一層安定化できる。また、中筒部の凸状部内面側となる凹部に挿入される皿螺子頭部も略円錐状であり、皿螺子及び中筒部の接触状態で各中心軸が一致することにより、中筒部と皿螺子との間にがたつきがなくなり、中筒部の傾動の中心軸が一定となることに加え、締付け力が常に中心に向くこととなり、中筒部を開口枠体の開口領域中央に確実に位置させられる。さらに、皿螺子頭部が凹部に挿入され、中筒部内周面から内方へ突出しないことにより、外観を向上させられると共に、埃等が引っかかりにくく、中筒部内周面の汚損を防止して美観を維持でき、且つ風切り音等の騒音も低減できる。
【００１３】
また、本発明に係る吹出口装置は必要に応じて、前記連結部材としての皿螺子が、前記フレアカラー内を通って前記開口枠体外側へ貫通し、開口枠体外側からナットを螺合されて前記中筒部と開口枠体を連結状態とするものである。
このように本発明においては、連結部材としての皿螺子先端部が開口枠体外側へ貫通し、ナットと螺合して中筒部と開口枠体を連結することにより、中筒部及び開口枠体と皿螺子とを互いに相対回動可能な状態とすることができ、多数回中筒部を傾動させても皿螺子が緩みにくく、中筒部の保持力をより安定的に維持できる。
【００１４】
また、本発明に係る吹出口装置は必要に応じて、前記連結部材としての皿螺子が、前記フレアカラー内を通って前記開口枠体に螺合し、開口枠体と一体に固定されるものである。
このように本発明においては、連結部材としての皿螺子先端部を開口枠体に螺合させ、皿螺子と開口枠体を一体化することにより、中筒部と開口枠体及び皿螺子とを互いに相対回動可能な状態としつつ、中筒部と開口枠体とを連結させるための部品点数を必要最小限とすることができ、コストダウンが図れる。
【００１６】
また、本発明に係る吹出口装置は、空気調和用の気体が供給され、当該気体を空気調和の対象となる空間へ吹出す略筒状の開口枠体と、当該開口枠体の開口領域内に傾動自在に一又は複数配設される略筒状の中筒部と、当該中筒部を前記開口枠体に軸支する支持軸部とを備える吹出口装置において、前記支持軸部が、一端部を略円錐状に拡開させた略円筒体で形成されて前記中筒部と開口枠体との間に前記一端部を中筒部側に向けて配設されるフレアカラーと、当該フレアカラー内に少なくとも一部を挿入されてフレアカラーと中筒部及び／又は開口枠体とを連結する連結部材とを有してなり、少なくとも前記連結部材が貫通可能な略テーパ状の略筒状部分と当該略筒状部分の大径側端部周囲に配置される略鍔状部分とからなる突出ワッシャを備え、前記中筒部が、外周面の対向する所定の二箇所に外方へ略円錐状に突出する凸状部を成形され、当該凸状部を前記フレアカラーの一端拡開部分に係合させてなり、前記突出ワッシャが、前記フレアカラーと前記開口枠体との間に、略鍔状部分側を開口枠体寄りとし且つ略筒状部分に前記連結部材を貫通させる状態で配設されるものである。このように本発明においては、開口枠体とフレアカラー間に配置されるワッシャとして、略筒状部分と略鍔状部分を有する突出ワッシャを用い、フレアカラー内径と連結部材外径との差が大でフレアカラーと連結部材との間に隙間が生じる場合には、突出ワッシャの略テーパ状の略筒状部分がフレアカラーと連結部材間に入り込み、突出ワッシャとフレアカラーの接触状態で各中心軸が一致することにより、突出ワッシャを貫通する連結部材の先端側とフレアカラー他端部との間にがたつきがなくなり、中筒部の傾動の中心軸が一定となることに加え、締付け力が常に中心に向くこととなり、中筒部を開口枠体の開口領域中央に確実に位置させられる。
【００１７】
【発明の実施の形態】
（本発明の第１の実施形態）
以下、本発明の第１の実施形態に係る吹出口装置を図１〜図４に基づいて説明する。この図１は本実施の形態に係る吹出口装置の概略構成断面図及び底面図、図２は本実施の形態に係る吹出口装置の使用状態断面図、図３は本実施の形態に係る吹出口装置の要部断面図、図４は本実施の形態に係る吹出口装置の要部分解状態説明図である。
【００１８】
前記各図において本実施の形態に係る吹出口装置１は、空気調和の対象となる室内空間に面する天井（又は壁）５０に配設される前記開口枠体としての略円筒状の外ノズル２と、この外ノズル２の開口領域内に傾動自在に配設される前記中筒部としての略円筒状の中ノズル３と、この中ノズル３と外ノズル２との間で中ノズル３と外ノズル２とを所定間隔での離隔状態に維持しつつ中ノズル３と外ノズル２とを傾動自在に連結する所定長さの支持軸部４とを備える構成である。
前記外ノズル２は、天井（又は壁）５０の内側でダクト５１に接続されて調和空気を供給され、この調和空気を室内空間側開口から室内空間へ吹出す構成である。この外ノズル２における内周面の対向する所定の二箇所には内方へ凸となる凸状部２ａが突出成形されると共に、この凸状部２ａ中心位置に貫通孔２ｂが穿設され、これら凸状部２ａ及び貫通孔２ｂに支持軸部４が連結される。
【００１９】
前記中ノズル３は、外周面の対向する所定の二箇所を外方へ略円錐状に突出成形されて凸状部３ａとされると共に、この凸状部３ａ中心位置に貫通孔３ｂを穿設され、前記凸状部３ａ及び貫通孔３ｂに連結される支持軸部４を介して外ノズル２の開口領域中央部に傾動自在に配設される構成である。
前記支持軸部４は、一端部を略円錐状に拡開させた所定長さの略円筒体で形成されるフレアカラー４ａと、このフレアカラー４ａ内に挿入されてフレアカラー４ａと中ノズル３及び外ノズル２とを連結する前記連結部材としての皿螺子４ｂと、この皿螺子４ｂ端部に螺合するナット４ｃと、フレアカラー４ａ他端部と外ノズル２内周面との間及びナット４ｃと外ノズル２外周面との間にそれぞれ配設されるワッシャ４ｄとを備える構成である。なお、ワッシャ４ｄは必要に応じて用いることができ、一部または全部使用しない構成としてもかまわない。
【００２０】
前記フレアカラー４ａは、その一端部の拡開部分を中ノズル３の凸状部３ａと係合させる一方、他端部を外ノズル２の凸状部２ａにワッシャ４ｄを介して当接させて中ノズル３と外ノズル２間に配置され、中ノズル３と外ノズル２の間隔を規定するものであり、中ノズル３及び外ノズル２に対して回動可能となっている。
前記皿螺子４ｂは、中ノズル３の内方から貫通孔３ｂを通じてフレアカラー４ａ内に通され、さらに外ノズル２外面へ貫通して外ノズル２外側からナット４ｃを螺合され、所定の締付け力で中ノズル３、フレアカラー４ａ、及び外ノズル２を連結する構成である。皿螺子４ｂ頭部は中ノズル３の凸状部３ａ内面側の凹部分に挿入され、中ノズル３の内周面より内方には皿螺子４ｂのいずれの部分も突出しない状態となる。一方、皿螺子４ｂ先端側に螺合するナット４ｃは、外ノズル２の凸状部２ａ外面側の凹部分に一部入り込んで外ノズル２外面からの突出量を抑えられた状態となっている。この皿螺子４ｂ及びこれと一体のナット４ｃは、中ノズル３及び外ノズル２に対し固定されず回動可能となっている。
【００２１】
次に、前記構成に基づく吹出口装置における中ノズル支持状態について説明する。中ノズル３は外ノズル２に対し支持軸部４を中心として傾動する仕組みとなっており、従来の吹出口装置１００と同様に、調和空気の温度等の諸条件に応じて中ノズル３を外ノズル２に対し所定角度傾動させ、中ノズル３の外ノズル２に対する傾斜角度を調節して、ダクト５１から室内空間側へ向う調和空気の吹出し方向を調節することができる。
【００２２】
中ノズル３の傾斜角度調整の際には、皿螺子４ｂ及びナット４ｃに対し、外ノズル２及び／又は中ノズル３が相対的に回動する状態となって、外ノズル２に対する中ノズル３の傾動を許容する。この時、フレアカラー４ａも外ノズル２及び／又は中ノズル３に対し相対的に回動して、外ノズル２に対する中ノズル３の傾動を妨げない状態となる。中ノズル３を所定の傾斜角度変位分だけ回動させた後は、そのまま静止させて中ノズル３を所定傾斜状態に保持させることとなる。
【００２３】
中ノズル３と支持軸部４との連結構造において、中ノズル３における略円錐状の凸状部３ａをフレアカラー４ａ一端部の略円錐状拡開部分に挿入配設して、フレアカラー４ａと中ノズル３との接触面積を大きくすると共に、皿螺子４ｂ頭部を中ノズル３の凸状部３ａ内面側となる凹部に挿入し、皿螺子４ｂと中ノズル３との接触面積も十分確保していることで、中ノズル３とフレアカラー４ａとの間、また、中ノズル３と皿螺子４ｂとの間にそれぞれ働く摩擦力が大となり、皿螺子４ｂとナット４ｃによる締付けトルクを大きくすることができ、中ノズル３の保持強度を高められる。その分、吹出し方向調整のために多数回中ノズル３を傾動させても、中ノズル３を傾動させる際の抵抗力、すなわち、中ノズル３の保持力が低下しにくく、中ノズル３の保持力を安定的に維持できる。
【００２４】
また、フレアカラー４ａ一端部の拡開部分と中ノズル３の凸状部３ａとが互いに当接する接触面をそれぞれ略円錐状とされると共に、中ノズル３の凸状部３ａ内面側となる凹部に挿入される皿螺子４ｂ頭部も略円錐状となっており、皿螺子４ｂ、中ノズル３、及びフレアカラー４ａの接触状態で各中心軸が一致することから、中ノズル３とフレアカラー４ａ、皿螺子４ｂとの間にがたつきがなく、中ノズル３の傾動の中心軸が一定となることに加え、締付け力が常に中心に向くため、中ノズル３を外ノズル２の開口領域中央に確実に位置させられる。
【００２５】
このように、本実施の形態に係る吹出口装置においては、中ノズル３と外ノズル２間の間隔を規定するカラーとして一端部が略円錐状の拡開形状となったフレアカラー４ａを用いる一方、中ノズル３のカラー連結部分を略円錐状に突出する凸状部３ａとして形成し、この凸状部３ａをフレアカラー４ａ一端部の拡開部分に係合させると共に、凸状部３ａ中心位置の貫通孔３ｂから皿螺子４ｂをフレアカラー４ａ内に通し、皿螺子４ｂ頭部を中ノズル３の凸状部３ａ内面側となる凹部に挿入して、フレアカラー４ａと中ノズル３、また、皿螺子４ｂ頭部と中ノズル３の各接触面積を十分確保することから、各部材間に働く摩擦力を大として皿螺子４ｂによる締付けトルクを大きくすることができ、中ノズル３の保持強度を高められる上、中ノズル３の保持力を安定的に維持できる。また、皿螺子４ｂ、中ノズル３、及びフレアカラー４ａの各略円錐状部分同士の接触で各中心軸が一致することから、各部材間にがたつきがなく、中ノズル３をスムーズに傾動させられることに加え、中ノズル３を確実に外ノズル２の開口領域中央に位置させることができる。
【００２６】
さらに、本実施の形態に係る吹出口装置においては、皿螺子４ｂ頭部が凹部に挿入されて中ノズル３内周面から内方へ突出しないことから、外観を向上させられると共に、埃等が引っかかりにくく、中ノズル３内周面の汚損を防止して美観を維持でき、且つ風切り音等の騒音も低減できる。
【００２７】
（本発明の第２の実施形態）
本発明の第２の実施形態に係る吹出口装置を図５に基づいて説明する。図５は本実施の形態に係る吹出口装置の要部断面図である。
前記図５において本実施の形態に係る吹出口装置１は、前記第１の実施形態と同様に、外ノズル２と、中ノズル３と、支持軸部４とを備える一方、異なる点として、前記支持軸部４の皿螺子４ｂが、前記フレアカラー４ａ内を通って外ノズル２に直接螺合し、外ノズル２と一体に固定される構成を有するものである。
前記外ノズル２は、内周面の対向する所定の二箇所に、前記支持軸部４の皿螺子４ｂと螺合可能な雌螺子孔２ｃを配設されてなり、この雌螺子孔２ｃに支持軸部４が連結される。
【００２８】
前記支持軸部４は、前記第１の実施形態同様、フレアカラー４ａと、皿螺子４ｂと、フレアカラー４ａ他端部と外ノズル２内周面との間に配設されるワッシャ４ｄとを備える一方、異なる点として、皿螺子４ｂ端部を直接外ノズル２の雌螺子孔２ｃに螺合させることでナット４ｃ及びこのナット４ｃと外ノズル２外周面との間のワッシャ４ｄを省略した構成を有するものである。
前記皿螺子４ｂは、中ノズル３の内方から貫通孔３ｂを通じてフレアカラー４ａ内に通され、さらに外ノズル２の雌螺子孔２ｃに螺合し、所定の締付け力で中ノズル３、フレアカラー４ａ、及び外ノズル２を連結する構成である。皿螺子４ｂは外ノズル２に対し固定されて回動不可能となっている。前記第１の実施形態同様、皿螺子４ｂ頭部は中ノズル３の凸状部３ａ内面側の凹部分に挿入され、中ノズル３の内周面より内方には皿螺子４ｂのいずれの部分も突出しない状態となる。
【００２９】
次に、前記構成に基づく吹出口装置における中ノズル支持状態について説明する。前記第１の実施形態同様、調和空気の温度等の諸条件に応じて中ノズル３を外ノズル２に対し所定角度傾動させ、中ノズル３の外ノズル２に対する傾斜角度を調節して、ダクト５１から室内空間側へ向う調和空気の吹出し方向を調節することができる。
中ノズル３の傾斜角度調整の際には、一体の皿螺子４ｂ及び外ノズル２に対し、中ノズル３が相対的に回動する状態となって、外ノズル２に対する中ノズル３の傾動を許容する。この時、フレアカラー４ａも外ノズル２及び／又は中ノズル３に対し相対的に回動して、外ノズル２に対する中ノズル３の傾動を妨げない状態となる。中ノズル３を所定の傾斜角度変位分だけ回動させた後は、そのまま静止させて中ノズル３を所定傾斜状態に保持させることとなる。
【００３０】
このように、本実施の形態に係る吹出口装置においては、前記第１の実施形態同様、中ノズル３の保持強度を高められ、且つ、中ノズル３を確実に外ノズル２の開口領域中央に位置させられることに加えて、皿螺子４ｂ先端部を外ノズル２に螺合させ、皿螺子４ｂと外ノズル２を一体化することから、中ノズル３と外ノズル２及び皿螺子４ｂとを互いに相対回動可能な状態としつつ、中ノズル３と外ノズル２とを連結させるための部品点数を必要最小限とすることができ、コストダウンが図れる。
【００３１】
（本発明の第３の実施形態）
本発明の第３の実施形態に係る吹出口装置を図６に基づいて説明する。図６は本実施の形態に係る吹出口装置の要部断面図である。
前記図６において本実施の形態に係る吹出口装置１は、前記第１の実施形態と同様に、外ノズル２と、中ノズル３と、支持軸部４とを備える一方、異なる点として、前記中ノズル３が、各凸状部３ａを前記フレアカラー４ａの一端部内周面に接着されてフレアカラー４ａと一体化され、前記支持軸部４が、皿螺子４ｂに代る連結部材として、前記外ノズル２外面から外ノズル２を貫通してフレアカラー４ａに螺合する螺子４ｅを備える構成を有するものである。
前記支持軸部４は、前記第１の実施形態同様、フレアカラー４ａと、このフレアカラー４ａ他端部と外ノズル２内周面との間に配設されるワッシャ４ｄとを備えると共に、このフレアカラー４ａ内に挿入されてフレアカラー４ａと外ノズル２とを連結する螺子４ｅと、この螺子４ｅ頭部と外ノズル２外周面との間に配設されるワッシャ４ｆとを備える構成を有するものである。
【００３２】
前記フレアカラー４ａは、その一端部の拡開部分を中ノズル３の凸状部３ａに接着されて中ノズル３と一体化する一方、フレアカラー４ａ他端部は外ノズル２内周面にワッシャ４ｄを介して当接し、外ノズル２に対して回動可能となる構成である。なお、フレアカラー４ａ一端部と接着される中ノズル３の凸状部３ａにおいては、中心位置に貫通孔が穿設されていてもかまわない。
前記螺子４ｅは、外ノズル２外側から貫通孔２ｂを通じフレアカラー４ａ内に通されてフレアカラー４ａに螺合し、所定の締付け力で中ノズル３と一体のフレアカラー４ａと外ノズル２とを連結する構成である。この螺子４ｅは、外ノズル２に対し固定されず回動可能となっている。
【００３３】
次に、前記構成に基づく吹出口装置における中ノズル支持状態について説明する。前記第１の実施形態同様、調和空気の温度等の諸条件に応じて中ノズル３を外ノズル２に対し所定角度傾動させ、中ノズル３の外ノズル２に対する傾斜角度を調節して、ダクト５１から室内空間側へ向う調和空気の吹出し方向を調節することができる。
【００３４】
中ノズル３の傾斜角度調整の際には、外ノズル２に対し、中ノズル３、フレアカラー４ａ及び螺子４ｅが相対的に回動する状態となって、外ノズル２に対する中ノズル３の傾動を許容する。中ノズル３を所定の傾斜角度変位分だけ回動させた後は、そのまま静止させて中ノズル３を所定傾斜状態に保持させることとなる。
このように、本実施の形態に係る吹出口装置においては、前記第１の実施形態同様、中ノズル３の保持強度を高められ、且つ、中ノズル３を確実に外ノズル２の開口領域中央に位置させられることに加えて、中ノズル３とフレアカラー４ａが接着されて一体化されると共に、螺子４ｅが外ノズル２を貫通してフレアカラー４ａに螺合一体化されることから、中ノズル３、フレアカラー４ａ及び螺子４ｅと外ノズル２とを互いに相対回動可能な状態としつつ、中ノズル３と外ノズル２とを連結させるための部品構成を簡略化でき、コストダウンが図れる。
【００３５】
なお、前記各実施の形態に係る吹出口装置においては、平板状のワッシャ４ｄをフレアカラー４ａ他端部と外ノズル２内周面との間に配設する構成としているが、これに限らず、図７（Ａ）に示すように、連結部材としての螺子が貫通可能な略テーパ状の略筒状部分とこの略筒状部分の大径側端部周囲に配置される略鍔状部分とからなる突出ワッシャ４ｇを、フレアカラー４ａと外ノズル２との間に配設する構成とすることもでき、フレアカラー４ａ内径と螺子外径との差が大でフレアカラー４ａと螺子との間に隙間が生じる場合には、突出ワッシャ４ｇの略テーパ状部分がフレアカラー４ａと螺子間に入り込み、突出ワッシャ４ｇを貫通する螺子とフレアカラー４ａの各中心軸が一致することから、螺子とフレアカラー４ａ他端部との間にがたつきがなくなり、中ノズル３の傾動の中心軸が一定となることに加え、締付け力が常に中心に向くこととなり、中ノズル３を外ノズル２の開口領域中央に確実に位置させられる。また、図７（Ｂ）に示すように、前記突出ワッシャ４ｇの略筒状部分の小径側端部を一部破断状態として用いる構成とすることもでき、略テーパ状の略筒状部分に適度な弾性を与えてフレアカラー４ａと突出ワッシャ４ｇを貫通する螺子の各中心軸を一致させる効果を高められることとなる。
【００３６】
また、前記各実施の形態に係る吹出口装置においては、開口枠体を円筒状の外ノズル２とし、且つ中筒部を円筒状の中ノズル３一個のみとする構成としているが、これに限らず、開口枠体及び中筒部を角筒状など他の筒形状に形成する構成としたり、開口枠体の開口領域内に中筒部を複数個それぞれ前記各実施形態同様の支持軸部４で傾動自在に軸支して配設する構成としたりすることもできる。さらに、中筒部の内部に別の筒状部を傾度調整自在に多重に配設する場合に、中筒部に対して前記筒状部も前記同様の支持軸部４を用いて傾動自在に軸支する構成とすることもでき、中筒部に対する筒状部の保持力を安定的に維持でき、中筒部に対し筒状部をがたつかせずスムーズに傾動させられることとなる。
さらに、前記各実施の形態に係る吹出口装置においては、支持軸部４における連結部材に皿螺子４ｂ等の螺子を用いる構成としているが、これに限らず、螺子と略同様の頭部を有しつつ螺子部分の存在しない略軸部材等を用いる構成とすることもできる。
【００３７】
【発明の効果】
以上のように本発明によれば、中筒部と開口枠体間の間隔を規定するカラーとして一端部が略円錐状の拡開形状となったフレアカラーを用いると共に、中筒部のカラー連結部分を略円錐状に突出する凸状部として形成し、中筒部の略円錐状の凸状部をフレアカラー一端部の略円錐状拡開部分に係合させて、フレアカラーと中筒部との接触面積を大きくすることにより、中筒部とフレアカラーとの間に働く摩擦力が大となり、中筒部と支持軸部の締付けトルクを大きくすることができ、中筒部の保持強度を高められる上、吹出し方向調整のために多数回中筒部を傾動させても、中筒部の保持力が低下しにくく、中筒部の保持力を安定的に維持できるという効果を奏する。また、フレアカラー一端部の拡開部分と中筒部の凸状部とが互いに当接する接触面をそれぞれ略円錐状とされてなり、中筒部及びフレアカラーの接触状態で各中心軸が一致することにより、中筒部とフレアカラーとの間にがたつきがなく、中筒部の傾動の中心軸が一定となることに加え、締付け力が常に中心に向くこととなり、中筒部を開口枠体の開口領域中央に位置させられるという効果を有する。
【００３８】
また、本発明によれば、中筒部の凸状部中心位置に貫通孔を穿設し、前記連結部材として皿螺子を用いて中筒部の貫通孔からフレアカラー内に通し、皿螺子頭部を中筒部の凸状部内面側となる凹部に挿入して、皿螺子頭部と中筒部との接触面積を十分確保することにより、中筒部と皿螺子との間にそれぞれ働く摩擦力が大となり、皿螺子による締付けトルクを大きくすることができ、中筒部の保持強度をさらに高められると共に、中筒部の保持力を一層安定化できるという効果を有する。さらに、中筒部の凸状部内面側となる凹部に挿入される皿螺子頭部も略円錐状であり、皿螺子及び中筒部の接触状態で各中心軸が一致することにより、中筒部と皿螺子との間にがたつきがなくなり、中筒部の傾動の中心軸が一定となることに加え、締付け力が常に中心に向くこととなり、中筒部を開口枠体の開口領域中央に確実に位置させられるという効果を有する。加えて、皿螺子頭部が凹部に挿入され、中筒部内周面から内方へ突出しないことにより、外観を向上させられると共に、埃等が引っかかりにくく、中筒部内周面の汚損を防止して美観を維持でき、且つ風切り音等の騒音も低減できるという効果を有する。
【００３９】
また、本発明によれば、連結部材としての皿螺子先端部が開口枠体外側へ貫通し、ナットと螺合して中筒部と開口枠体を連結することにより、中筒部及び開口枠体と皿螺子とを互いに相対回動可能な状態とすることができ、多数回中筒部を傾動させても皿螺子が緩みにくく、中筒部の保持力をより安定的に維持できるという効果を有する。
【００４０】
また、本発明によれば、連結部材としての皿螺子先端部を開口枠体に螺合させ、皿螺子と開口枠体を一体化することにより、中筒部と開口枠体及び皿螺子とを互いに相対回動可能な状態としつつ、中筒部と開口枠体とを連結させるための部品点数を必要最小限とすることができ、コストダウンが図れるという効果を有する。
【００４２】
また、本発明によれば、開口枠体とフレアカラー間に配置されるワッシャとして、略筒状部分と略鍔状部分を有する突出ワッシャを用い、フレアカラー内径と連結部材外径との差が大でフレアカラーと連結部材との間に隙間が生じる場合には、突出ワッシャの略テーパ状の略筒状部分がフレアカラーと連結部材間に入り込み、突出ワッシャとフレアカラーの接触状態で各中心軸が一致することにより、突出ワッシャを貫通する連結部材の先端側とフレアカラー他端部との間にがたつきがなくなり、中筒部の傾動の中心軸が一定となることに加え、締付け力が常に中心に向くこととなり、中筒部を開口枠体の開口領域中央に確実に位置させられるという効果を有する。
【図面の簡単な説明】
【図１】本発明の第１の実施形態に係る吹出口装置の概略構成断面図及び底面図である。
【図２】本発明の第１の実施形態に係る吹出口装置の使用状態断面図である。
【図３】本発明の第１の実施形態に係る吹出口装置の要部断面図である。
【図４】本発明の第１の実施形態に係る吹出口装置の要部分解状態説明図である。
【図５】本発明の第２の実施形態に係る吹出口装置の要部断面図である。
【図６】本発明の第３の実施形態に係る吹出口装置の要部断面図である。
【図７】本発明の他の実施形態に係る吹出口装置の要部断面図及び突出ワッシャの斜視図である。
【図８】従来の吹出口装置の概略構成断面図及び底面図である。
【符号の説明】
１、１００    吹出口装置
２、１０１    外ノズル
２ａ          凸状部
２ｂ          貫通孔
２ｃ          雌螺子孔
３、１０２    中ノズル
３ａ          凸状部
３ｂ          貫通孔
４、１０３    支持軸部
４ａ          フレアカラー
４ｂ          皿螺子
４ｃ          ナット
４ｄ、４ｆ    ワッシャ
４ｅ          螺子
４ｇ          突出ワッシャ
５０          天井（又は壁）
５１          ダクト
１０３ａ      カラー
１０３ｂ      螺子
１０３ｃ      袋ナット
１０３ｄ      ワッシャ
【図１】
0003763465.tif 000002
【図２】
0003763465.tif 000003
【図３】
0003763465.tif 000004
【図４】
0003763465.tif 000005
【図５】
0003763465.tif 000006
【図６】
0003763465.tif 000007
【図７】
0003763465.tif 000008
【図８】
0003763465.tif 000009